(57)【特許請求の範囲】
【請求項１】
貯湯式の給湯設備と、前記貯湯式の給湯設備による冷排熱を用いて建物内の空調を行う空調設備と、を制御するエネルギー管理装置であって、
前記貯湯式の給湯設備の第１運転スケジュールと、前記空調設備の第２運転スケジュールと、を取得する情報取得部と、
前記第２運転スケジュールに基づいて、前記空調設備における冷房の目標温度が第１の温度より低ければ、前記貯湯式の給湯設備を第１の能力で動作させ、前記第１の温度より低くなければ、前記貯湯式の給湯設備を前記第１の能力よりも低い第２の能力で動作させるように、前記第１運転スケジュールを変更した第３運転スケジュールを作成する運転計画部と、
前記第３運転スケジュールに基づいて前記貯湯式の給湯設備の動作を制御する動作制御部と、
を備えるエネルギー管理装置。
【請求項２】
貯湯式の給湯設備と、前記貯湯式の給湯設備による冷排熱を用いて建物内の空調を行う空調設備と、を制御するエネルギー管理装置であって、
前記貯湯式の給湯設備の第１運転スケジュールと、前記空調設備の第２運転スケジュールと、を取得する情報取得部と、
前記第２運転スケジュールに基づいて、前記貯湯式の給湯設備に沸上げを行わせる予定時間帯のうちの一部の時間帯が、前記空調設備に冷房動作させる予定時間帯の開始時を含むように、前記第１運転スケジュールを変更した第３運転スケジュールを作成する運転計画部と、
前記第３運転スケジュールに基づいて前記貯湯式の給湯設備の動作を制御する動作制御部と、
を備えるエネルギー管理装置。
【請求項３】
前記運転計画部は、前記貯湯式の給湯設備に沸上げを行わせる予定時間帯の一部が、前記空調設備に冷房動作させる予定時間帯と重複するならば、重複する時間帯では前記貯湯式の給湯設備を前記第１の能力で動作させ、重複しない時間帯では前記貯湯式の給湯設備を前記第２の能力で動作させるように、前記第３運転スケジュールを作成する、
請求項１に記載のエネルギー管理装置。
【請求項４】
前記運転計画部は、前記空調設備に冷房動作させる予定時間帯が、前記貯湯式の給湯設備に給湯させる予定時間帯よりも前であれば、前記貯湯式の給湯設備に沸上げを行わせる予定時間帯を、前記空調設備に冷房動作させる予定時間帯に変更する、
請求項１又は２に記載のエネルギー管理装置。
【請求項５】
前記情報取得部は、買電価格を示す料金データを更に取得し、
前記運転計画部は、前記空調設備に冷房動作させる予定時間帯における買電価格が、前記貯湯式の給湯設備に給湯させる予定時間帯における買電価格よりも安ければ、前記貯湯式の給湯設備に沸上げを行わせる予定時間帯を、前記空調設備に冷房動作させる予定時間帯に変更する、
請求項１又は２に記載のエネルギー管理装置。
【請求項６】
前記情報取得部は、買電価格と売電価格を示す料金データを更に取得し、
前記運転計画部は、前記空調設備に冷房動作させる予定時間帯における買電価格から売電価格を差し引いた額が、前記貯湯式の給湯設備に給湯させる予定時間帯における買電価格から売電価格を差し引いた額よりも安ければ、前記貯湯式の給湯設備に沸上げを行わせる予定時間帯を、前記空調設備に冷房動作させる予定時間帯に変更する、
請求項１又は２に記載のエネルギー管理装置。
【請求項７】
前記第３運転スケジュールを表示する表示部と、
前記表示された第３運転スケジュールに従って前記貯湯式の給湯設備の動作を制御するか否かのユーザからの指示を受け付ける入力受付部と、
を更に備え、
前記動作制御部は、前記表示された第３運転スケジュールに従って前記貯湯式の給湯設備の動作を制御する旨の前記ユーザからの指示があると、前記表示された第３運転スケジュールに従って前記貯湯式の給湯設備の動作を制御する、
請求項１から６のいずれか１項に記載のエネルギー管理装置。
【請求項８】
前記エネルギー管理装置は、ネットワークを介して外部サーバに接続され、
前記情報取得部は、前記外部サーバから、予測される外気温を示す情報を含む気象データを取得し、
前記動作制御部は、前記予測される外気温に予め決められた温度より高い時間帯が含まれる場合、前記気象データに基づいて前記空調設備による消費電力量を低減するように前記第１運転スケジュールを変更した前記第３運転スケジュールにより前記貯湯式の給湯設備の動作を制御する、
請求項１又は２に記載のエネルギー管理装置。
【請求項９】
貯湯式の給湯設備と、前記貯湯式の給湯設備による冷排熱を用いて建物内の空調を行う空調設備と、を制御するエネルギー管理方法であって、
前記貯湯式の給湯設備の第１運転スケジュールと、前記空調設備の第２運転スケジュールと、を取得する情報取得ステップと、
前記第２運転スケジュールに基づいて、前記空調設備における冷房の目標温度が第１の温度より低ければ、前記貯湯式の給湯設備を第１の能力で動作させ、前記第１の温度より低くなければ、前記貯湯式の給湯設備を前記第１の能力よりも低い第２の能力で動作させるように、前記第１運転スケジュールを変更した第３運転スケジュールを作成する運転計画ステップと、
前記第３運転スケジュールに基づいて前記貯湯式の給湯設備の動作を制御する動作制御ステップと、
を含むエネルギー管理方法。
【請求項１０】
貯湯式の給湯設備と、前記貯湯式の給湯設備による冷排熱を用いて建物内の空調を行う空調設備と、を制御するエネルギー管理方法であって、
前記貯湯式の給湯設備の第１運転スケジュールと、前記空調設備の第２運転スケジュールと、を取得する情報取得ステップと、
前記第２運転スケジュールに基づいて、前記貯湯式の給湯設備に沸上げを行わせる予定時間帯のうちの一部の時間帯が、前記空調設備に冷房動作させる予定時間帯の開始時を含むように、前記第１運転スケジュールを変更した第３運転スケジュールを作成する運転計画ステップと、
前記第３運転スケジュールに基づいて前記貯湯式の給湯設備の動作を制御する動作制御ステップと、
を含むエネルギー管理方法。
【請求項１１】
貯湯式の給湯設備と、前記貯湯式の給湯設備による冷排熱を用いて建物内の空調を行う空調設備と、を制御するコンピュータを、
前記貯湯式の給湯設備の第１運転スケジュールと、前記空調設備の第２運転スケジュールと、を取得する情報取得部、
前記第２運転スケジュールに基づいて、前記空調設備における冷房の目標温度が第１の温度より低ければ、前記貯湯式の給湯設備を第１の能力で動作させ、前記第１の温度より低くなければ、前記貯湯式の給湯設備を前記第１の能力よりも低い第２の能力で動作させるように、前記第１運転スケジュールを変更した第３運転スケジュールを作成する運転計画部、
前記第３運転スケジュールに基づいて前記貯湯式の給湯設備の動作を制御する動作制御部、
として機能させるプログラム。
【請求項１２】
貯湯式の給湯設備と、前記貯湯式の給湯設備による冷排熱を用いて建物内の空調を行う空調設備と、を制御するコンピュータを、
前記貯湯式の給湯設備の第１運転スケジュールと、前記空調設備の第２運転スケジュールと、を取得する情報取得部、
前記第２運転スケジュールに基づいて、前記貯湯式の給湯設備に沸上げを行わせる予定時間帯のうちの一部の時間帯が、前記空調設備に冷房動作させる予定時間帯の開始時を含むように、前記第１運転スケジュールを変更した第３運転スケジュールを作成する運転計画部、
前記第３運転スケジュールに基づいて前記貯湯式の給湯設備の動作を制御する動作制御部、
として機能させるプログラム。
【発明の詳細な説明】
【技術分野】
【０００１】
本発明は、給湯設備と空調設備を連携させて省エネルギーの効果を高めることが可能なエネルギー管理装置、エネルギー管理方法、及び、プログラムに関する。
【背景技術】
【０００２】
ヒートポンプにより水を加熱して貯湯タンクに蓄え、加熱された水を目標温度に調整して必要に応じて建物内へ供給する給湯設備がある。また、建物内又は建物外の空気を冷却したり加熱したりした後に建物内に送り込む空調設備がある。【０００３】
更には、給湯設備と空調設備とを組み合わせた設備がある。例えば特許文献１には、ヒートポンプによる冷排熱を利用して空調を行う給湯ユニットが開示されている。【０００４】
また、特許文献２には、給湯と空調を同時に実行することが可能なヒートポンプ装置において、冷房が稼働中で且つ湯が不足していると、室内ユニットの排熱が給湯ユニットで全て回収される運転モードに設定するが、電気料金が高い場合にはこの運転モードを無効にできることが開示されている。
【先行技術文献】
【特許文献】
【０００５】
【特許文献１】特開２００２−８９８８３号公報
【特許文献２】国際公開第２０１２／１０１８０４号
【発明の概要】
【発明が解決しようとする課題】
【０００６】
しかしながら、従来は、給湯設備の運転スケジュールと空調設備の運転スケジュールとが連動していなかった。そのため、給湯設備の運転スケジュールと空調設備の運転スケジュールとが別々に設定されると、給湯設備と空調設備が連動せず、システムの省エネルギー性能が十分に発揮されないことがあった。【０００７】
本発明は、上記の事情のもとになされたもので、給湯設備と空調設備を連携させて省エネルギーの効果を高めることが可能なエネルギー管理装置、エネルギー管理方法、及び、プログラムを提供することを目的とする。
【課題を解決するための手段】
【０００８】
上記目的を達成するため、本発明に係るエネルギー管理装置は、
貯湯式の給湯設備と、前記貯湯式の給湯設備による冷排熱を用いて建物内の空調を行う空調設備と、を制御するエネルギー管理装置であって、
前記貯湯式の給湯設備の第１運転スケジュールと、前記空調設備の第２運転スケジュールと、を取得する情報取得部と、
前記第２運転スケジュールに基づいて、前記空調設備における冷房の目標温度が第１の温度より低ければ、前記貯湯式の給湯設備を第１の能力で動作させ、前記第１の温度より低くなければ、前記貯湯式の給湯設備を前記第１の能力よりも低い第２の能力で動作させるように、前記第１運転スケジュールを変更した第３運転スケジュールを作成する運転計画部と、
前記第３運転スケジュールに基づいて前記貯湯式の給湯設備の動作を制御する動作制御部と、
を備える。
【発明の効果】
【０００９】
給湯設備と空調設備を連携させて省エネルギーの効果を高めることができる。
【図面の簡単な説明】
【００１０】
【図１】エネルギー管理システムの構成を示す図である。
【図２】給湯設備の構成を示す図である。
【図３】空調設備の構成を示す図である。
【図４】空調設備の他の構成を示す図である。
【図５】ＨＥＭＳコントローラの構成を示す図である。
【図６】ユーザ端末の構成を示す図である。
【図７】エネルギー管理処理を説明するためのフローチャートである。
【図８】ユーザスケジュールの表示例を示す図である。
【図９】ユーザスケジュールデータの構成を示す図である。
【図１０】給湯設備の運転スケジュールデータの構成を示す図である。
【図１１】空調設備の運転スケジュールデータの構成を示す図である。
【図１２】買電価格と給湯設備の運転スケジュールと空調設備の運転スケジュールの例を示す図である。
【図１３】給湯設備の運転スケジュールを変更する処理を説明するための図である。
【図１４】室外機の能力と冷排熱の温度との関係、及び、室外機の能力と消費電力量との関係を示す図である。
【図１５】給湯設備の運転スケジュールを変更する処理を説明するための図である。
【図１６】給湯設備の運転スケジュールを変更する処理を説明するための図である。
【図１７】変形例１におけるエネルギー管理システムの構成を示す図である。
【図１８】変形例２におけるＨＥＭＳコントローラの構成を示す図である。
【発明を実施するための形態】
【００１１】
図１に、本実施形態におけるエネルギー管理システム１の構成の概要を示す。
【００１２】
ＨＥＭＳ（Home Energy Management System）コントローラ１００は、給湯設備２０と空調設備３０と電気機器７０の動作を制御する。例えば、ＨＥＭＳコントローラ１００は、ユーザから入力されたユーザスケジュールに基づいて、給湯設備２０と空調設備３０と電気機器７０の動作（オン）と非動作（オフ）とを切り替えたり、給湯設備２０と空調設備３０と電気機器７０の動作モードを変更して運転させたりする。ＨＥＭＳコントローラ１００を、エネルギー管理装置ともいう。
【００１３】
また、ＨＥＭＳコントローラ１００は、電気機器７０もしくは電力計測装置（図示せず）によって計測された電気機器７０等の消費電力量や、蓄電設備６０による蓄電量、発電設備５０による発電量等を示す実績データを取得し、保存する。ＨＥＭＳコントローラ１００には、実績データの履歴が蓄積される。
【００１４】
そして、ＨＥＭＳコントローラ１００は、取得した実績データを、通信ネットワーク８０に接続されたサーバ９０へ送信する。サーバ９０は、実績データをＨＥＭＳコントローラ１００から受信し、保存する。サーバ９０には、実績データの履歴が蓄積される。
【００１５】
更には、ＨＥＭＳコントローラ１００は、気温と湿度等を示す気象データをサーバ９０もしくは通信ネットワーク８０上のコンピュータ（図示せず）から取得し、取得した気象データと運転データとに基づいて、給湯設備２０と空調設備３０と電気機器７０による将来の消費電力を推測し、給湯設備２０と空調設備３０と電気機器７０の運転スケジュールを作成する。
【００１６】
給湯設備２０は、ヒートポンプにより市水を加熱し、温水を建物内の浴槽等へ排出する。また、給湯設備２０は、ヒートポンプにより市水を加熱する際に生じる冷排熱を空調設備３０へと通じるダクトに排出する。本実施形態における給湯設備２０は貯湯式である。
【００１７】
空調設備３０は、建物内の暖房、冷房、送風等の空気調和を行う。また、空調設備３０は、給湯設備２０による冷排熱を利用して、建物内の空気を冷却する。
【００１８】
ユーザ端末４０は、エネルギー管理システム１の動作状態等を示す画面を表示する。ユーザ端末４０は、給湯設備２０と空調設備３０と電気機器７０の動作を指示する入力をユーザから受け付け、受け付けた指示に基づいて給湯設備２０と空調設備３０と電気機器７０を制御する。
【００１９】
発電設備５０は、太陽光発電を行い、生成した電力を宅内電力線もしくは蓄電設備６０に供給する。なお、発電方法は太陽光発電でなくてもよい。
【００２０】
蓄電設備６０は、商用電源から供給された電力もしくは発電設備５０により生成された電力を蓄える。
【００２１】
電気機器７０は、宅内電力線に接続されており、商用電源と発電設備５０と蓄電設備６０とのうち少なくともいずれか一つから電力の供給を受けることにより動作する。電気機器７０は、具体的には、空気調和機、電気調理器、テレビジョン受像機、換気設備、照明設備、床暖房設備等である。ただし、電気機器７０の種類はこれらに限られず、電気によって動作し、ＨＥＭＳコントローラ１００によって制御可能であればよい。
【００２２】
通信ネットワーク８０は、ＨＥＭＳコントローラ１００とサーバ９０とを通信可能に接続する。典型的には、通信ネットワーク８０はインターネットである。
【００２３】
サーバ９０は、ＨＥＭＳコントローラ１００から実績データを取得し、保存する。
【００２４】
次に、給湯設備２０の詳細を説明する。図２に、給湯設備２０の構成を示す。
【００２５】
室外機２１０は、例えばＣＯ２（二酸化炭素）やＨＦＣ（ハイドロフルオロカーボン）等を冷媒に用いたヒートポンプにより熱交換を行う。室外機２１０は、アキュムレータ２１２により冷媒を加圧状態で蓄えておき、冷媒を圧縮機２１３により圧縮することによって冷媒の温度を上昇させ、この加温された冷媒を放熱器２１１により常温の市水と熱交換することによって、市水を目標の温度まで加熱する。加熱された市水は、貯湯タンク２０１に蓄えられる。室外機２１０は、貯湯タンク２０１に蓄えられた水を再び加熱することができる。
【００２６】
貯湯タンク２０１は、室外機２１０によって加熱された市水を蓄える。貯湯タンク２０１は、ステンレス等の金属又は樹脂から形成される。貯湯タンク２０１の外側には断熱材が施されている。貯湯タンク２０１は一つだけでなく複数あってもよい。
【００２７】
給湯コントローラ２０２は、給湯設備２０全体を制御する。給湯コントローラ２０２は、ユーザから入力されたユーザスケジュールに基づいて運転スケジュールを作成し、運転スケジュールに従って、貯湯タンク２０１に湯を蓄え、目標温度となるように湯を常温の市水と混合させた後、浴槽等に出湯する制御を行う。なお、給湯コントローラ２０２は、貯湯タンク２０１ではなく、室外機２１０又はＨＥＭＳコントローラ１００に備えつけられてもよい。
【００２８】
また、室外機２１０は、熱交換された冷媒を膨張弁２１４により熱膨張させ、空気熱交換器２１６により冷媒を外気と熱交換させ、ファン２１５により冷媒を冷却する。切替装置２２０は、ダクト２３１を通じて冷排熱を室内機へ排出する。室内機は、この冷排熱を利用して建物２３０内の空気を冷却する。あるいは、空調を停止する際には、切替装置２２０は、冷排熱を外部へ排出する。
【００２９】
次に、空調設備３０の詳細を説明する。図３に、全館空調タイプの空調設備３０の構成を示す。全館空調タイプでは、給湯設備２０による冷排熱又は外気がダクト２３１Ｂを通じて一台の室内機３００に搬送され、室内機３００からダクト２３１Ａを通じて各部屋に冷やされた空気又は暖められた空気が搬送される。
【００３０】
室内機３００の熱交換器は、パイプの中に冷媒を通過させることで周囲の空気と熱交換し、冷媒を冷却又は加熱する。冷房運転時においては、熱交換器は、蒸発器として機能し、流入した冷媒を蒸発させる。これにより、熱交換器は、周囲の空気から熱を吸収し、周囲の空気を冷却する。また、暖房運転時においては、熱交換器は、凝縮器として機能し、流入した気体冷媒を凝縮させる。これにより、熱交換器は、周囲の空気に熱を放出し、周囲の空気を加熱する。
【００３１】
ダクト２３１Ａのダンパは、搬送される空気の風量の調節や、空気の搬送と停止の切り替えを行う。
【００３２】
ダクト２３１Ｂは、冷房時、給湯設備２０からの冷排熱を室内機３００に搬送する。室内機３００に搬送される空気の温度が低いため、空調設備３０による冷房の効率が上昇し、空調の負荷を軽減できる効果がある。
【００３３】
図４に、全熱交換タイプの空調設備３０の構成を示す。全熱交換タイプでは、建物２３０内の空気（内気）ＲＡと外気ＯＡが熱交換器４００を通過する際に温度と湿度の交換を行う。冷房時、給湯設備２０からの冷排熱が外気ＯＡとなる。
【００３４】
外気ＯＡが内気ＲＡと熱交換した後、冷やされた内気ＳＡが建物２３０の中へ排出され、暖められた外気ＥＡが建物２３０の外へ排出される。
【００３５】
本実施形態においては、空調設備３０は全館空調タイプとするが、全熱交換タイプでもよい。
【００３６】
なお、一般的な換気設備の吸気口に、給湯設備２０からの冷排熱を排出するようにしてもよい。
【００３７】
次に、ＨＥＭＳコントローラ１００の詳細を説明する。図５に、ＨＥＭＳコントローラ１００の構成を示す。
【００３８】
通信部５０１は、ＮＩＣ（Network Interface Card）を備え、建物２３０内に設置された通信線を介して、もしくは無線通信により、給湯設備２０、空調設備３０、ユーザ端末４０、及び、電気機器７０と通信する。また、通信部５０１は、通信ネットワーク８０を介して、サーバ９０と通信する。
【００３９】
画像処理部５０２は、画面データを生成し、例えばエネルギー管理システム１の現在の動作状態を示す画面や、ユーザから指示を受け付ける画面等、様々な画面をディスプレイ５５１に表示する。
【００４０】
音声処理部５０３は、記憶部５０５から音声データを取得し、再生し、音声をスピーカ５５２から出力する。
【００４１】
入力部５０４は、ボタンやタッチパネル等、ユーザからの入力を受け付ける入力デバイスを備える。
【００４２】
記憶部５０５は、ハードディスク等の記憶装置を備え、ＨＥＭＳコントローラ１００を制御する各種のプログラム、電気機器７０等から取得した消費電力量や電気機器７０の運転状態を示す実績データ、オペレーティングシステム（ＯＳ）、画像データ、音声データ、テキストデータ等を記憶する。
【００４３】
制御部５０６は、ＣＰＵ（Central Processing Unit）、ＲＯＭ（Read Only Memory）、ＲＡＭ（Random Access Memory）を備え、ＨＥＭＳコントローラ１００全体を制御する。
【００４４】
情報取得部５２１は、給湯設備２０、空調設備３０、ユーザ端末４０、発電設備５０、蓄電設備６０、電気機器７０、及び、サーバ９０から実績データ等の様々な情報を取得し、記憶部５０５に記憶する。
【００４５】
より詳細には、情報取得部５２１は、給湯設備２０の動作状態、貯湯量、消費電力量等を示す実績データを給湯設備２０から取得し、記憶部５０５に記憶する。
【００４６】
また、情報取得部５２１は、空調設備３０の動作状態、設定されている冷房や暖房といった動作モード、設定されている目標温度、測定された温度と湿度、消費電力量等を示す実績データを空調設備３０から取得し、記憶部５０５に記憶する。
【００４７】
また、情報取得部５２１は、ユーザ端末４０を用いてユーザから入力されたユーザスケジュールを示すユーザスケジュールデータをユーザ端末４０から取得し、記憶部５０５に記憶する。ユーザスケジュールは、ユーザ端末４０だけでなく、ＨＥＭＳコントローラ１００の入力部５０４を用いて入力されてもよい。
【００４８】
また、情報取得部５２１は、発電設備５０の動作状態、発電量、発電した時間等を示す実績データを発電設備５０から取得し、記憶部５０５に記憶する。
【００４９】
また、情報取得部５２１は、蓄電設備６０の動作状態、蓄電量、蓄電した時間等を示す実績データを蓄電設備６０から取得し、記憶部５０５に記憶する。
【００５０】
また、情報取得部５２１は、電気機器７０の動作状態、消費電力量等を示す実績データを電気機器７０から取得し、記憶部５０５に記憶する。
【００５１】
更に、情報取得部５２１は、現在の天気や気温や湿度等を示す気象データや、将来（例えば明日）の天気や気温や湿度等を示す気象データを、サーバ９０もしくは公的機関や民間気象会社が管理するサーバ（図示せず）から取得し、記憶部５０５に記憶する。また、情報取得部５２１は、買電価格と売電価格を示す料金データを、サーバ９０もしくは電気小売事業者が管理するサーバ（図示せず）から取得し、記憶部５０５に記憶する。
【００５２】
運転計画部５２２は、取得した各実績データと、ユーザスケジュールデータと、気象データと、料金データとに基づいて、給湯設備２０の運転スケジュールと空調設備３０の運転スケジュールを作成し、記憶部５０５に記憶する。なお、給湯設備２０の運転スケジュールは、空調設備３０の運転スケジュールに基づいて変更されることがあるが、詳しくは後述する。
【００５３】
なお、以下の説明において、給湯設備２０の運転スケジュールを“第１運転スケジュール”と呼び、空調設備３０の運転スケジュールを“第２運転スケジュール”と呼び、第２運転スケジュールに基づいて第１運転スケジュールが変更された運転スケジュールを“第３運転スケジュール”と呼ぶ。
【００５４】
動作制御部５２３は、作成した運転スケジュールに基づいて、給湯設備２０と空調設備３０の動作を制御する。また、動作制御部５２３は、給湯設備２０と空調設備３０だけでなく、発電設備５０と蓄電設備６０と電気機器７０の動作を制御する。
【００５５】
なお、動作制御部５２３は、発電設備５０と蓄電設備６０と電気機器７０についても、各実績データとユーザスケジュールデータと気象データと料金データとに基づいて運転スケジュールを作成し、作成した運転スケジュールに基づいて動作を制御してもよい。また、動作制御部５２３は、運転スケジュールに因らずに、ユーザからの指示に基づいて給湯設備２０と空調設備３０と発電設備５０と蓄電設備６０と電気機器７０の動作を制御することもできる。
【００５６】
次に、ユーザ端末４０の詳細を説明する。図６に、ユーザ端末４０の構成を示す。
【００５７】
通信部６０１は、ＮＩＣを備え、ＨＥＭＳコントローラ１００と通信する。
【００５８】
画像処理部６０２は、ディスプレイ６５１に表示する画面を構成する画面データを生成し、様々な画面をディスプレイ６５１に表示する。
【００５９】
音声処理部６０３は、記憶部６０６から音声データを取得し、再生し、音声をスピーカ６５２から出力する。
【００６０】
Ｉ／Ｏ部６０４は、ＵＳＢ（Universal Serial Bus）等のインタフェースを備え、メモリカード、外付けハードディスク等をユーザ端末４０に接続する。
【００６１】
入力部６０５は、ボタンやタッチパネル等、ユーザからの指示を受け付ける入力デバイスを備える。
【００６２】
記憶部６０６は、ハードディスク等の記憶装置を備え、ユーザ端末４０を制御する各種のプログラム、ＯＳ、画像データ、音声データ、テキストデータ等を記憶する。
【００６３】
制御部６０７は、ＣＰＵ、ＲＯＭ、ＲＡＭを備え、ユーザ端末４０全体を制御する。
【００６４】
ユーザ端末４０は、具体的には例えば、タブレット型パーソナルコンピュータ、スマートフォン、携帯電話機等である。
【００６５】
次に、ＨＥＭＳコントローラ１００によって行われるエネルギー管理処理について説明する。ＨＥＭＳコントローラ１００は、給湯設備２０と空調設備３０を連携させて効率よく動作させる。ＨＥＭＳコントローラ１００は、例えば、空調設備３０による消費電力量を低減するように、給湯設備２０と空調設備３０とを連携させる。図７に、エネルギー管理処理を説明するためのフローチャートを示す。
【００６６】
図７に示すエネルギー管理処理では、前述した第３運転スケジュールが設定される。エネルギー管理処理は、例えば、ＨＥＭＳコントローラ１００が給湯設備２０と空調設備３０とを制御する前日の予め設定された時刻にスタートする。なお、エネルギー管理処理は、例えば、前述した第２運転スケジュールがユーザにより変更された時にスタートしてもよい。
【００６７】
まず、ＨＥＭＳコントローラ１００の制御部５０６は、買電価格と売電価格を示す料金データを、サーバ９０もしくは電気小売事業者が管理する通信ネットワーク８０上のコンピュータ（図示せず）から取得する（ステップＳ７０１）。制御部５０６は、取得した料金データを記憶部５０５に保存する。
【００６８】
ただし、制御部５０６は、エネルギー管理処理とは別プロセスにて料金データを取得してもよい。制御部５０６は、例えば毎日の予め決められた時刻や、毎月の予め決められた日時といったように、エネルギー管理処理の実行の有無に関係なく定期的に、最新の料金データを取得するようにしてもよい。
【００６９】
制御部５０６は、給湯設備２０の運転スケジュールと空調設備３０の運転スケジュールを記憶部５０５から取得する（ステップＳ７０２）。
【００７０】
ここで、運転スケジュールについて説明する。制御部５０６は、例えば図８に示すスケジュール画面をディスプレイ５５１に表示し、予定の内容と予定の開始時刻と予定の終了時刻とを含むユーザスケジュールの入力をユーザから受け付ける。図８には、スケジュール画面を表示させた現在時刻（例えば2015年4月1日00時00分）から一週間分のユーザスケジュールが表示されている。
【００７１】
ユーザは、入力部５０４を操作して、もしくは、ユーザ端末４０が備える入力デバイスを操作して、ユーザスケジュール、すなわち予定の内容と予定の開始時刻と予定の終了時刻とを入力する。本実施形態では、ユーザごとにユーザスケジュールを入力することができる。また、ユーザは、ＨＥＭＳコントローラ１００に予め登録された全てのユーザ（例えば家族全員）に対応付けられるユーザスケジュールや、電気機器７０の動作のオンとオフといったような特にユーザを指定しないエネルギー管理システム１のスケジュールを入力することができる。ここでは、特にユーザを指定しないエネルギー管理システム１のスケジュールも、便宜上、ユーザスケジュールと呼ぶことにする。
【００７２】
制御部５０６は、入力されたユーザスケジュールに基づいて、給湯設備２０の第１運転スケジュール及び空調設備３０の第２運転スケジュールを作成し、作成した第１運転スケジュールと第２運転スケジュールを示す運転スケジュールデータを記憶部５０５に保存する。
【００７３】
例えば、“2015年4月3日12時00分から2015年4月5日15時00分まで家族全員で旅行に行く”というユーザスケジュールが入力されると、制御部５０６は、開始時刻である2015年4月3日12時00分に給湯設備２０による沸上げを停止し、終了時刻である2015年4月5日15時00分もしくはこの終了時刻より予め決められた時間だけ前（例えば2015年4月5日14時00分）に給湯設備２０による沸上げを開始する、という運転スケジュールデータを作成し、記憶部５０５に記憶する。
【００７４】
図９に、記憶部５０５に記憶される、ユーザから入力されたスケジュールを示すユーザスケジュールデータの例を示す。制御部５０６は、スケジュールの識別番号（ＩＤ）と、予定に対応付けられるユーザと、予定の内容と、予定の開始時刻と、予定の終了時刻とを対応付けて、記憶部５０５に記憶する。
【００７５】
図１０に、記憶部５０５に記憶される、給湯設備２０の第１運転スケジュールを示す運転スケジュールデータの例を示す。制御部５０６は、記憶部５０５に記憶されているユーザスケジュールに基づいて、スケジュールの識別番号と、制御の内容と、制御を行う時間（予定時刻）とを対応付けた給湯設備２０の第１運転スケジュールを作成し、記憶部５０５に記憶する。
【００７６】
図１１に、記憶部５０５に記憶される、空調設備３０の第２運転スケジュールを示す運転スケジュールデータの例を示す。制御部５０６は、記憶部５０５に記憶されているユーザスケジュールに基づいて、スケジュールの識別番号と、制御の内容と、制御を行う時間（予定時刻）とを対応付けた空調設備３０の第２運転スケジュールを作成し、記憶部５０５に記憶する。
【００７７】
なお、制御部５０６は、ユーザスケジュールに因らずに、各運転スケジュールを作成することもできる。すなわち、制御部５０６は、サーバ９０もしくは電気小売事業者が管理する通信ネットワーク８０上のコンピュータから取得した気象データに基づいて、将来（例えば明日）の電気機器７０等による消費電力量と、発電設備５０による発電量と、蓄電設備６０による蓄電量とを予測する。そして、制御部５０６は、消費電力量と発電量と蓄電量の各予測値に基づいて、電気機器７０と発電設備５０と蓄電設備６０の将来の各運転スケジュールを作成する。
【００７８】
図７のフローチャートに戻り、制御部５０６は、取得した空調設備３０の第２運転スケジュールの中に、冷房の予定が含まれているか否かを判別する（ステップＳ７０３）。本実施形態では、制御部５０６は、翌日の第２運転スケジュールの中に冷房で運転する予定が組まれているか否かを判別する。
【００７９】
例えば図１１に示す第２運転スケジュールでは、識別番号Ｂ０１で示されるスケジュールに対応する時刻から、識別番号Ｂ０２で示されるスケジュールに対応する時刻まで、冷房で運転する予定が組まれている。
【００８０】
空調設備３０の第２運転スケジュールの中に冷房の予定が含まれていると判別した場合（ステップＳ７０３；ＹＥＳ）、制御部５０６は、冷房を開始する予定時刻Ｔ１が、ユーザが給湯を使用する予定時刻Ｔ２よりも前か否かを判別する（ステップＳ７０４）。一方、空調設備３０の第２運転スケジュールの中に冷房の予定が含まれていないと判別した場合（ステップＳ７０３；ＮＯ）、エネルギー管理処理を終了する。
【００８１】
例えば、図１０に示すように給湯設備２０の第１運転スケジュールが記憶されており、且つ、図１１に示すように空調設備３０の第２運転スケジュールが記憶されている場合、識別番号Ｂ０１のスケジュールに対応する冷房を開始する予定時刻Ｔ２（2015年4月1日10時00分）は、識別番号Ａ０３のスケジュールに対応する給湯を開始する予定時刻Ｔ１（2015年4月1日12時30分）よりも前である。
【００８２】
なお、ＨＥＭＳコントローラ１００が給湯設備２０に沸上げの開始を指示してから実際に給湯が開始されるまでのタイムラグを考慮し、制御部５０６は、給湯設備２０の沸上げ開始時刻を、ユーザスケジュールによって指定された時刻もしくは給湯設備２０の稼働履歴から計算した時刻よりも、予め決められた安全値だけ前の時刻としてもよい。
【００８３】
冷房を開始する予定時刻Ｔ１が、給湯を使用する予定時刻Ｔ２よりも後である場合（ステップＳ７０４；ＮＯ）、エネルギー管理処理を終了する。
【００８４】
冷房を開始する予定時刻Ｔ１が、給湯を使用する予定時刻Ｔ２よりも前である場合（ステップＳ７０４；ＹＥＳ）、制御部５０６は、料金データに基づいて、冷房で運転する時間内に、予定されている給湯設備２０による沸上げ時の買電価格よりも安い時間帯が含まれているか否かを判別する（ステップＳ７０５）。
【００８５】
例えば、図１２に示すように買電価格と給湯設備２０の第１運転スケジュールと空調設備３０の第２運転スケジュールとが設定されている場合、予定されている給湯設備２０による沸上げ時の買電価格ＰＢ３は１０円／ｋＷｈであり、また、冷房で運転する１０時から２２時までの第１区間１２０１のうち、１０時から１２時までの第２区間１２０２における買電価格ＰＢ２（７円／ｋＷｈ）は、０時から６時までの第３区間１２０３における給湯設備２０による沸上げ時の買電価格ＰＢ３（１０円／ｋＷｈ）よりも安い。よって、制御部５０６は、予定されている冷房で運転する時間内に、予定されている給湯設備２０による沸上げ時の買電価格よりも安い時間帯が含まれている（ステップＳ７０５；ＹＥＳ）と判別する。
【００８６】
なお、ステップＳ７０５において、制御部５０６は、発電設備５０による発電電力を逆潮流させて電気小売事業者へ売電することによりユーザが得られる利益を考慮しつつ、冷房で運転する時間内に、予定されている給湯設備２０による沸上げ時の買電価格よりも安い時間帯が含まれているか否かを判別してもよい。
【００８７】
例えば図１２において、制御部５０６は、第２区間１２０２における買電価格ＰＢ２から第２区間１２０２における売電価格ＰＳ２を差し引いた額ΔＰ２と、第３区間１２０３における買電価格ＰＢ３から第３区間１２０３における売電価格ＰＳ３を差し引いた額ΔＰ３とを比較し、ΔＰ２がΔＰ３より小さければ、予定されている冷房で運転する時間内に、予定されている給湯設備２０による沸上げ時の買電価格よりも安い時間帯が含まれている（ステップＳ７０５；ＹＥＳ）と判別する。一方、ΔＰ２がΔＰ３より小さくなければ、制御部５０６は、予定されている冷房で運転する時間内に、予定されている給湯設備２０による沸上げ時の買電価格よりも安い時間帯が含まれていない（ステップＳ７０５；ＮＯ）と判別する。
【００８８】
冷房で運転する時間内に、予定されている給湯設備２０による沸上げにかかる電気代よりも安い時間帯が含まれていると判別した場合（ステップＳ７０５；ＹＥＳ）、制御部５０６は、給湯設備２０の運転スケジュール、より具体的には給湯設備２０による沸上げのスケジュールを、変更する（ステップＳ７０６）。一方、冷房で運転する時間内に、予定されている給湯設備２０による沸上げ時の買電価格よりも安い時間帯が含まれていないと判別した場合（ステップＳ７０５；ＮＯ）、エネルギー管理処理を終了する。
【００８９】
図１３を用いて、第２運転スケジュールに基づいて第１運転スケジュールを変更して第３運転スケジュールを作成する処理を詳しく説明する。制御部５０６は、冷房で運転する予定時間（例えば１０時から２２時まで）のうち、予定されている給湯設備２０による沸上げにかかる買電価格よりも安い第２区間１２０２に、給湯設備２０による沸上げを行うスケジュールの一部を移動する。
【００９０】
より詳細には、制御部５０６は、沸上げを行うスケジュールのうち、給湯設備２０を使用する時刻Ｔ２から遠い時間帯のスケジュールの一部を、買電価格が安い第２区間１２０２に移動する。
【００９１】
すなわち、制御部５０６は、図１３において、沸上げを行う第３区間１２０３のうち、買電価格が安い時間帯である第２区間１２０２に相当する時間長（この場合２時間）の区間であって、給湯設備２０を使用する時刻Ｔ２から遠い区間１３００のスケジュールを、買電価格が安い第２区間１２０２に移動する。
【００９２】
この結果、給湯設備２０による沸上げは、当初の第１運転スケジュールでは０時から６時まで継続して行われることになっていたものが、第３運転スケジュールでは、２時から６時まで、及び、１０時から１２時まで、に分割される。
【００９３】
ユーザが給湯設備２０を使用する時刻Ｔ２により近い時間帯に沸上げを行うことにより、熱損失を減らす効果がある。また、空調設備３０による冷房では、一般に稼働開始時に比較的大きな負荷がかかるため、給湯設備２０からの冷排熱を空調設備３０の稼働開始時に利用することにより、省エネルギーの効果が高まる。
【００９４】
なお、沸上げのスケジュールの一部を後ろにずらすことにより、時刻Ｔ３から時刻Ｔ２までの間に湯切れを起こす可能性がある。このため、制御部５０６は、貯湯タンク２０１に予め決められた最低湯量が常に確保されることを条件に、第３運転スケジュールを作成することが望ましい。また、沸上げ運転の時間帯を分割したことにより、沸上げ運転の開始後沸上げしない時間が生じるが、この間、制御部５０６は、給湯設備２０が保温運転するように第１運転スケジュールを設定してもよい。
【００９５】
次に、制御部５０６は、設定されている冷房の目標温度に基づいて、給湯設備２０の室外機２１０の能力を三段階のいずれに設定するかを決定する。
【００９６】
すなわち、制御部５０６は、空調設備３０の第２運転スケジュールに基づいて、設定されている冷房の目標温度が、予め決められた第１の温度よりも低いか否かを判別する（ステップＳ７０７）。
【００９７】
設定されている冷房の目標温度が第１の温度よりも低い場合（ステップＳ７０７；ＹＥＳ）、制御部５０６は、給湯設備２０の室外機２１０の能力を“高”に設定し（ステップＳ７０８）、給湯設備２０を動作させる第３運転スケジュールを決定する。
【００９８】
設定されている冷房の目標温度が第１の温度よりも低くない場合（ステップＳ７０７；ＮＯ）、制御部５０６は、設定されている冷房の目標温度が、予め決められた第２の温度よりも高いか否かを判別する（ステップＳ７０９）。
【００９９】
設定されている冷房の目標温度が、予め決められた第２の温度よりも高くない場合（ステップＳ７０９；ＮＯ）、制御部５０６は、給湯設備２０の室外機２１０の能力を“中”に設定し（ステップＳ７１０）、給湯設備２０を動作させる第３運転スケジュールを決定する。
【０１００】
設定されている冷房の目標温度が、予め決められた第２の温度よりも高い場合（ステップＳ７０９；ＹＥＳ）、制御部５０６は、給湯設備２０の室外機２１０の能力を“低”に設定し（ステップＳ７１１）、給湯設備２０を動作させる第３運転スケジュールを決定する。
【０１０１】
図１４に、室外機２１０の能力と冷排熱の温度（単位は摂氏）との関係、及び、室外機２１０の能力と消費電力量（単位はワット時）との関係を示す。室外機２１０の能力とは、具体的には、室外機２１０による単位時間あたりの熱交換量である。室外機２１０の能力が高いということは、室外機２１０による単位時間あたりの熱交換量が多いということである。言い換えれば、室外機２１０の能力が高いほど、沸上げが早い。
【０１０２】
室外機２１０の能力が上がるほど、消費電力量がより多くなるものの、冷排熱の温度はより下がる傾向にある。また、室外機２１０の能力が下がるほど、消費電力量がより少なくなるものの、冷排熱の温度はより上がる傾向にある。
【０１０３】
本実施形態では、ＨＥＭＳコントローラ１００から設定可能な室外機２１０の能力は、高、中、低、の三段階としている。冷房の目標温度が第１の温度以上且つ第２の温度以下であれば、“中”に設定される。冷房の目標温度が第１の温度より低ければ、“高”に設定される。冷房の目標温度が第２の温度より高ければ、“低”に設定される。
【０１０４】
ただし、制御部５０６が設定可能な室外機２１０の能力は三段階で決められなくてもよく、一段階、二段階、あるいは、四段階以上であってもよい。一段階であれば、室外機２１０の能力は固定となり、ステップＳ７０７からステップＳ７１１の処理は不要である。
【０１０５】
二段階であれば、ステップＳ７０９及びステップＳ７１０が不要であり、ステップＳ７０７において冷房の目標温度が第１の温度よりも高ければ（ステップＳ７０７；ＮＯ）、制御部５０６は、給湯設備２０の室外機２１０の能力を“低”に設定する（ステップＳ７１１）。
【０１０６】
四段階であれば、制御部５０６は、ステップＳ７０９において冷房の目標温度が第２の温度よりも高いか否かを判別する代わりに、冷房の目標温度が第３の温度（ただし第１の温度＜第３の温度＜第２の温度とする）よりも低いか否かを判別する。冷房の目標温度が第３の温度よりも低ければ、“中”（上から二番目に高い能力）に設定し、冷房の目標温度が第３の温度よりも低くなければ、ステップＳ７０９と同様に冷房の目標温度が第２の温度よりも高いか否かを判別する。冷房の目標温度が第３の温度よりも低ければ、“第１の低”（上から三番目に高い能力）に設定し、冷房の目標温度が第３の温度よりも低くなければ、“第２の低”（上から四番目に高い（最も低い）能力）に設定する。五段階以上の場合、四段階と同様、目標温度によるふるい分けの回数を増やしていけばよい。
【０１０７】
なお、給湯設備２０による沸上げを行う時間帯と、空調設備３０による冷房を行う時間帯とが重なる場合、制御部５０６は、冷房中には室外機２１０の能力を“高”に設定し、冷房していない間には室外機２１０の能力を“低”に設定する、といったように、給湯設備２０の運転スケジュールを調整することで、エネルギー管理システム１全体の効率を上げる。
【０１０８】
また、制御部５０６は、給湯設備２０の稼働時間を変更するとともに、室外機２１０の能力を変更するように第１運転スケジュールを変更する。図１５、１６に示すように、空調設備３０の第２運転スケジュールが２３時から０時まで冷房となっていて、給湯設備２０の第１運転スケジュールが０時半から５時まで能力“中”で沸上げとなっている場合を例に具体的に説明する。
【０１０９】
このような場合、制御部５０６は、空調設備３０による冷房動作が設定されている２３時から０時の時間に、給湯設備２０を能力“高”で沸上げ運転させるように第１運転スケジュールを変更し、この間の給湯設備２０からの冷排熱を空調設備３０に使用させる。２３時から０時の間に給湯設備２０が能力“高”で沸上げ運転することにより、従来の運転時間（０時半から５時）を減少させることができる。そして、制御部５０６は、例えば、必要な沸上げ量のうち、残りの沸上げ量を２時から５時の間に能力“低”で沸上げるように、第１運転スケジュールを変更する。
【０１１０】
なお、空調設備３０の第２運転スケジュールが設定されていない場合であっても、例えば、ＨＥＭＳコントローラ１００の記憶部５０５に、ユーザの就寝時間の代表値（平均値、中央値など）を記憶しておき、ユーザの就寝時間まで、沸上げの能力を“高”で給湯設備２０を運転するように設定してもよい。
【０１１１】
また、図１５、１６の例において、変更後の第１運転スケジュールでは、０時から２時の間に沸上げ運転しない時間が生じるが、この間は、給湯設備２０が保温運転するように設定してもよい。
【０１１２】
このように、本実施形態によれば、給湯設備２０による冷排熱を空調設備３０において有効に用いることにより、給湯設備と空調設備を連携させて省エネルギーを実現することができる。また、給湯設備２０による冷排熱を空調設備３０において有効に用いることができるように、空調設備３０の運転スケジュールに基づいて給湯設備２０の運転スケジュールを変更可能とすることにより、省エネルギーの効果を高めることができる。
【０１１３】
本発明は、上述した実施形態に限定されず、種々の変形及び応用が可能である。また、上述した実施形態の各構成要素を自由に組み合わせることも可能である。
【０１１４】
（変形例１）
上記の実施形態では、ＨＥＭＳコントローラ１００が建物内に配置された場合について説明したが、ＨＥＭＳコントローラ１００を建物外に配置するようにしてもよい。例えば、インターネット上のサーバ９０をＨＥＭＳコントローラ１００として機能させてもよい。
【０１１５】
例えば、図１７に示すように、建物内には、ＨＥＭＳコントローラ１００の代わりに、ルータ１７００が配置されている。一方、宅外の通信ネットワーク８０上には、ＨＥＭＳコントローラ１００として機能するサーバ９０が配置されている。この場合、ルータ１７００とサーバ９０とが協働して、ＨＥＭＳコントローラ１００の役割を果たす。
【０１１６】
（変形例２）
図１８に、変形例２におけるＨＥＭＳコントローラ１００の機能的な構成を示す。制御部５０６と画像処理部５０２が協働して、第１運転スケジュールと第２運転スケジュールと第３運転スケジュールを表示する表示部１８０１として機能する。また、制御部５０６と入力部５０４が協働して、表示された第１運転スケジュール又は第３運転スケジュールに従って給湯設備２０を制御し且つ表示された第２運転スケジュールに基づいて空調設備３０の動作を制御するか否かのユーザからの指示を受け付ける入力受付部１８０２として機能する。
【０１１７】
この変形例２では、制御部５０６は、給湯設備２０の第１運転スケジュールと空調設備３０の第２運転スケジュールを作成すると、作成した第１運転スケジュールと第２運転スケジュールを、第１運転スケジュールと第２運転スケジュールに基づく制御の実行前に、ディスプレイ５５１に表示する。
【０１１８】
そして、制御部５０６は、表示された第１運転スケジュールに従って給湯設備２０の動作を制御し且つ表示された第２運転スケジュールに従って空調設備３０の動作を制御するか否かのユーザからの指示を受け付ける。表示された第１運転スケジュールと第２運転スケジュールに従って給湯設備２０と空調設備３０を動作させる旨のユーザからの指示が入力されると、第１運転スケジュールに基づいて給湯設備２０の動作を制御し、第２運転スケジュールに基づいて空調設備３０の動作を制御する。
【０１１９】
また、制御部５０６は、空調設備３０の第２運転スケジュールに基づいて給湯設備２０の第１運転スケジュールを変更して第３運転スケジュールを作成すると、作成した第３運転スケジュールを、第３運転スケジュールに基づく制御の実行前に、ディスプレイ５５１に表示する。
【０１２０】
そして、制御部５０６は、表示された第３運転スケジュールに従って給湯設備２０の動作を制御するか否かのユーザからの指示を受け付ける。表示された第３運転スケジュールに従って給湯設備２０を動作させる旨のユーザからの指示が入力されると、第３運転スケジュールに基づいて給湯設備２０の動作を制御する。
【０１２１】
なお、制御部５０６は、第１運転スケジュールと第２運転スケジュールについては、ユーザからの明示的な指示がなくても直ちに適用して給湯設備２０と空調設備３０を制御し、第３運転スケジュールについては、ユーザからの明示的な指示があった後に適用して給湯設備２０を制御してもよい。
【０１２２】
（変形例３）
上記実施形態では、運転スケジュールによって決められた特定の時間に空調設備３０が稼働することとしているが、２４時間継続して空調設備３０を稼働させる場合には、制御部５０６は、サーバ９０もしくは通信ネットワーク８０上のコンピュータから取得した気象データに基づいて、予測される外気温が予め決められた温度より高い時間帯を判別し、この判別した時間帯を、ステップＳ７０３における“冷房で運転する予定の時間”に置き換えることができる。
【０１２３】
この場合、制御部５０６は、ステップＳ７０３において、冷房の予定があるか否かを判別する代わりに、予測される外気温が予め決められた温度より高い時間帯があるか否かを判別すればよい。
【０１２４】
また、制御部５０６は、ステップＳ７０４において、冷房を開始する予定時刻Ｔ１が、給湯を使用する予定時刻Ｔ２よりも前か否かを判別する代わりに、外気温が予め決められた温度より高くなると予測される時刻が、給湯を使用する予定時刻Ｔ２よりも前か否かを判別すればよい。
【０１２５】
また、制御部５０６は、ステップＳ７０５において、冷房で運転する時間内に、予定されている給湯設備２０による沸上げ時の買電価格よりも安い時間帯が含まれているか否かを判別する代わりに、予測される外気温が予め決められた温度より高い時間内に、予定されている給湯設備２０による沸上げ時の買電価格よりも安い時間帯が含まれているか否かを判別すればよい。
【０１２６】
また、制御部５０６は、ステップＳ７０６において、冷房で運転する時間内のうち、予定されている給湯設備２０による沸上げにかかる買電価格よりも安い第２区間１２０２に、給湯設備２０による沸上げのスケジュールの一部をシフトする代わりに、予測される外気温が予め決められた温度より高い時間内のうち、予定されている給湯設備２０による沸上げにかかる買電価格よりも安い時間帯に、給湯設備２０による沸上げのスケジュールの一部をシフトすればよい。
【０１２７】
（変形例４）
図１３、図１５の例に示すように、制御部５０６が給湯設備２０の第１運転スケジュールを変更する場合、変更する前に、ユーザに第１運転スケジュールを変更するか否かの問い合わせを行うように設計してもよい。
【０１２８】
この場合、制御部５０６は、画像処理部５０２に、変更後の第１運転スケジュールとともに、「運転スケジュールを下記のように変更しますがよろしいですか。」、「運転スケジュールを下記のように変更すると、○○円電気代がお得になります。変更しますか。」といったメッセージをディスプレイ５５１に表示させる旨の指示を送出する。ディスプレイ５５１に上記のメッセージが表示されると、入力部５０４は、ユーザの指示を受け付け、受け付けた指示を制御部５０６に送出する。制御部５０６は、入力部５０４から送出された指示に基づいて、給湯設備２０の第１運転スケジュールを変更する。
【０１２９】
なお、上記メッセージをユーザ端末４０に表示させるように設計してもよい。
【０１３０】
上記実施形態及び変形例１から４を任意に組み合わせて実施することが可能である。
【０１３１】
上記のＨＥＭＳコントローラ１００の全部又は一部としてコンピュータを動作させるためのプログラムを、メモリカード、ＣＤ−ＲＯＭ、ＤＶＤ、ＭＯ（Magneto Optical disk）などのコンピュータが読み取り可能な記録媒体に格納して配布し、これを別のコンピュータにインストールし、上述の手段として動作させ、あるいは、上述の工程を実行させてもよい。
【０１３２】
更に、インターネット上のサーバ装置が有するディスク装置等にプログラムを格納しておき、例えば、搬送波に重畳させて、コンピュータにダウンロード等するものとしてもよい。
【０１３３】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【０１３４】
以上のように、上記各実施形態によれば、給湯設備と空調設備を連携させて省エネルギーの効果を高めることが可能なエネルギー管理装置、エネルギー管理方法、及び、プログラムを提供することができる。
【符号の説明】
【０１３５】
１  エネルギー管理システム、２０  給湯設備、３０  空調設備、４０  ユーザ端末、５０  発電設備、６０  蓄電設備、７０  電気機器、８０  通信ネットワーク、９０  サーバ、１００  ＨＥＭＳコントローラ、２１０  室外機、２２０  切替装置、２３０  建物、２３１  ダクト、３００  室内機、４００  熱交換器、５０１，６０１  通信部、５０２，６０２  画像処理部、５０３，６０３  音声処理部、５０４，６０５  入力部、５０５，６０６  記憶部、５０６，６０７  制御部、５２１  情報取得部、５２２  運転計画部、５２３  動作制御部、５５１，６５１  ディスプレイ、５５２，６５２  スピーカ、６０４  Ｉ／Ｏ部、１７００  ルータ、１８０１  表示部、１８０２  入力受付部
【図１】
0006490218.tif 000002
【図２】
0006490218.tif 000003
【図３】
0006490218.tif 000004
【図４】
0006490218.tif 000005
【図５】
0006490218.tif 000006
【図６】
0006490218.tif 000007
【図７】
0006490218.tif 000008
【図８】
0006490218.tif 000009
【図９】
0006490218.tif 000010
【図１０】
0006490218.tif 000011
【図１１】
0006490218.tif 000012
【図１２】
0006490218.tif 000013
【図１３】
0006490218.tif 000014
【図１４】
0006490218.tif 000015
【図１５】
0006490218.tif 000016
【図１６】
0006490218.tif 000017
【図１７】
0006490218.tif 000018
【図１８】
0006490218.tif 000019